(57)【要約】【課題】大気圧の変化の影響を受けずに、精度よく校正するための音響校正器を提供すること。【解決手段】音響校正器１０は、マイクロホン３１を挿入するためのカプラ２１を有し、カプラ２１内に音響を出力するスピーカ１１と、一端がカプラ２１内に通じ、他端が大気圧に開放された状態で、スピーカ１１によって音響が出力されたカプラ２１内の気圧と、大気圧との差により音圧を計測するゲージ圧センサ１２と、ゲージ圧センサ１２によって計測された音圧が一定の音圧になるようにスピーカ１１を制御する制御手段１３と、を備える。【選択図】図１
2014175927.tif 000002
【特許請求の範囲】
【請求項１】
マイクロホンを挿入するためのカプラを有する音響校正器であって、
前記カプラ内に音響を出力する音響出力手段と、
一端がカプラ内に通じ、他端が大気圧に開放された状態で、前記音響出力手段によって音響が出力されたカプラ内の気圧と、大気圧との差により音圧を計測する音圧計測手段と、
前記音圧計測手段によって計測された音圧が一定の音圧になるように前記音響出力手段を制御する制御手段と、
を備える音響校正器。
【請求項２】
前記音圧計測手段によって計測された音圧から発生音圧信号の周波数の音圧レベルを抽出するための演算を行う演算手段をさらに備え、
前記制御手段は、前記演算手段によって演算された値を用いて、前記音響出力手段を制御する、請求項１に記載の音響校正器。
【請求項３】
前記演算手段は、ＦＦＴ又はＤＦＴ演算を行い、
前記制御手段は、前記ＦＦＴ又は前記ＤＦＴ演算の値を用いて、フィードバックを行う請求項２に記載の音響校正器。
【請求項４】
前記音圧計測手段に沿って配置され、気体の温度を計測する温度計測手段と、
前記温度計測手段によって計測された温度に基づいて、前記音圧計測手段によって計測された音圧を補正する温度補正手段と、
をさらに備える、請求項１から３のいずれかに記載の音響校正器。
【発明の詳細な説明】
【技術分野】
【０００１】
本発明は、音響校正器に関する。
【背景技術】
【０００２】
従来より、サウンドレベルを測定する計測において、計測する時点の環境における調整は音響校正器のスピーカ等の発生音圧レベルによって行われている。通常、スピーカ等の発生音圧は大気圧、温度、湿度の環境要因により変化する。このため、大気圧の変化に対し、大気圧計を用いて測定した大気圧と、補正表とに基づいて、基準の気圧（１．０１３２５×１０５Ｐａ）を基に補正して調整を行っている。また、温度の変化に対し、温度特性のよい（温度に対する発生音圧の変動が少ない）スピーカ等を選択して、利用している。
【０００３】
これらの調整を補う技術として、特許文献１及び２が知られている。
特許文献１は、気圧の変化を気にすることなく、効率よく音響校正を行う音響校正器を開示する。この音響校正器は、圧力形マイクロホンをカプラ内に挿入し、このカプラ内に電磁形イヤホンにより音圧を発生させ、この音圧を圧力形マイクロホンに供給する音響校正器であって、大気圧を検出する大気圧センサの検出値に応じた所定の音圧にカプラ内がなるように電磁形イヤホンを制御する。
【０００４】
特許文献２は、マイクロホンの構造を複雑化することなく、周囲の温度変化に追従して自動的に出力・感度を調整することができ、環境変化に対して精度の高い出力を維持する音響校正器を開示する。この音響校正器は、発音体を内蔵し、かつ発音体付近に出力監視用マイクロホンを配置して、当該出力監視用マイクロホンの出力を常時監視・制御して、常に一定の校正音圧を発生するように構成され、マイクロホンユニット、或いは騒音計を含む被検査対象を装着するカプラ部を備え、当該被検査対象の感度を校正するための音響校正器にあって、温度検出センサによって音響校正器近傍の温度を検出し、出力監視マイクロホン出力を、温度検出センサの検出結果に基づいて補正する。
【先行技術文献】
【特許文献】
【０００５】
【特許文献１】特開２００１−３４９７７３号公報
【特許文献２】特開２００８−２５６４３３号公報
【発明の概要】
【発明が解決しようとする課題】
【０００６】
しかしながら、特許文献１の音響校正器は、カプラ内の圧力と大気圧が等しくなるように、カプラ内の空洞と外気とが連通する連通孔を設け、大気圧センサによる検出値に応じて、カプラ内が所定の音圧になるように電磁形イヤホンの出力を制御する。このため、連通孔からの漏れ量が変わった場合や、他からの漏れが発生した場合、被校正マイクロホンの装着直後のカプラ内の圧力と大気圧とが等しくない場合、カプラ内の容積が変化した場合には、カプラ内が所定の音圧にならない可能性がある。また、特許文献２の技術は、環境変化のうち温度変化に対して精度の高い出力を維持するための技術である。このように、いずれの技術も、計測する時点の環境の変化に対して、精度よく校正するための技術としては十分ではない。
【０００７】
本発明は、大気圧の変化の影響を受けずに、精度よく校正するための音響校正器を提供することを目的とする。
【課題を解決するための手段】
【０００８】
本発明では、以下のような解決手段を提供する。
（１）  マイクロホンを挿入するためのカプラを有する音響校正器であって、前記カプラ内に音響を出力する音響出力手段と、一端がカプラ内に通じ、他端が大気圧に開放された状態で、前記音響出力手段によって音響が出力されたカプラ内の気圧と、大気圧との差により音圧を計測する音圧計測手段と、前記音圧計測手段によって計測された音圧が一定の音圧になるように前記音響出力手段を制御する制御手段と、を備える音響校正器。
【０００９】
（１）の構成によれば、本発明に係る音響校正器は、カプラ内に音響を出力し、音響が出力されたカプラ内の気圧と大気圧との差により音圧を計測し、計測した音圧が一定の音圧になるように音響の出力を制御する。
【００１０】
すなわち、本発明に係る音響校正器は、カプラ内に発生させた音圧を、カプラ内の気圧と大気圧との差により計測し、一定に保つように制御する。
したがって、本発明に係る音響校正器は、大気圧の変化の影響を受けない一定の音圧を発生させることにより、大気圧の変化の影響を受けずに、精度よく校正できるようにすることができる。
【００１１】
（２）  前記音圧計測手段によって計測された音圧から発生音圧信号の周波数の音圧レベルを抽出するための演算を行う演算手段をさらに備え、前記制御手段は、前記演算手段によって演算された値を用いて、前記音響出力手段を制御する、（１）に記載の音響校正器。
【００１２】
したがって、（２）に係る音響校正器は、発生音圧信号の周波数の音圧レベル値を用いて、大気圧の変化の影響を受けない一定の音圧を発生させることにより、大気圧の変化の影響を受けずに、より精度よく校正できるようにすることができる。
【００１３】
（３）  前記演算手段は、ＦＦＴ又はＤＦＴ演算を行い、前記制御手段は、前記ＦＦＴ又は前記ＤＦＴ演算の値を用いて、フィードバックを行う（２）に記載の音響校正器。
【００１４】
したがって、（３）に係る音響校正器は、ＦＦＴ又はＤＦＴ演算を行った値でフィードバックを行うことにより、大気圧の変化の影響を受けずに、より精度よく校正できる。
【００１５】
（４）  前記音圧計測手段に沿って配置され、気体の温度を計測する温度計測手段と、前記温度計測手段によって計測された温度に基づいて、前記音圧計測手段によって計測された音圧を補正する温度補正手段と、をさらに備える、（１）から（３）のいずれかに記載の音響校正器。
【００１６】
したがって、（４）に係る音響校正器は、計測された音圧信号を温度補正し、大気圧及び温度の変化の影響を受けない一定の音圧を発生させることにより、大気圧と温度の変化の影響を受けずに、より精度よく校正できるようにすることができる。
【発明の効果】
【００１７】
本発明によれば、大気圧補正や、カプラ容積補正、温度補正を別途行う必要がなく、自動的に行って発生音圧を一定に保つ音響校正器を提供することができる。さらに、これらの補正を自動的に行うために用いるセンサの自己ノイズや、オフセットの影響を軽減した音響校正器を提供することができる。
【図面の簡単な説明】
【００１８】
【図１】本発明の一実施形態に係る音響校正器の構成を示すブロック図である。
【図２】本発明の一実施形態に係る音響校正器の処理内容を示すフローチャートである。
【図３】図２に続くフローチャートである。
【発明を実施するための形態】
【００１９】
以下、本発明の実施形態について図を参照しながら説明する。図１は、本発明の一実施形態に係る音響校正器１０の構成を示すブロック図である。音響校正器１０は、音響出力手段としてのスピーカ１１と、音圧計測手段としてのゲージ圧センサ１２と、制御手段１３と、演算手段１４と、温度計測手段としての温度センサ１５と、温度補正手段１６とを備える。また、音響校正器１０は、例えば、バッテリ検知器１３６、ＤＣ−ＤＣコンバータ１３７を備えたバッテリ１３８で作動し、制御手段１３により、電源のＯＮ／ＯＦＦが制御される。以下、各部について詳述する。
【００２０】
スピーカ１１は、カプラ２１内に音響を出力する。具体的には、スピーカ１１は、カプラ２１に取り付けられ、カプラ２１内に音圧を発生させる。カプラ２１は、例えば、被校正体であるマイクロホン３１を挿入することができるように開口部２１１を備え、マイクロホン３１が開口部２１１に挿入されると、密閉された空間となる。
スピーカ１１は、電流駆動で制御され、例えば、正弦波の電気信号に応じて振動板（ダイアフラム）が振動し、音波を放射する。音波として正弦波がスピーカ１１からでていると仮定すると、カプラ２１内の気圧の変化は大気圧を中心とした正弦波になる。スピーカ１１の振動板（ダイアフラム）の移動量が同じでも、大気圧の影響によりカプラ内の気圧は変化する。すなわち、スピーカ１１の発生音圧を一定に保つようにするには、スピーカ１１への正弦波の電気信号の振幅を変化させる必要がある。
【００２１】
ゲージ圧センサ１２は、一端１２１がカプラ２１内に通じ、他端１２２が大気圧に開放された状態で、スピーカ１１によって音響が出力されたカプラ２１内の気圧と、大気圧との差により音圧を計測する。
すなわち、ゲージ圧センサ１２は、音響校正器１０のカプラ２１内のゲージ圧（大気圧を０Ｐａとした圧力）を計測できるように、一端１２１がカプラ２１内に通じ、大気圧に開放された他端１２２の大気開放口がカプラ２１の外になるように配置される。
カプラ２１内の圧力は大気圧を０Ｐａとした正負圧となるため、ゲージ圧センサ１２は、正負圧が計測できる連成形ゲージ圧センサを使用することが望ましい。
【００２２】
ゲージ圧センサ１２の調整は次のように行う。
まず、カプラ２１へマイクロホン３１を挿入しない状態、すなわち、大気圧開放状態にてゲージ圧センサ１２のゼロ調整を行う。その後、カプラ２１へマイクロホン３１を挿入し、スピーカ１１から正弦波の音を発生させる。ゲージ圧センサ１２に示される値が１０Ｐａになるまでスピーカ１１の発生音圧を変化させる。このとき、正負のゲージ圧を測定し、実効値（最大値に対し１／√２倍）が１０Ｐａになるようにする。なお、１１４ｄＢを発生させた場合１０Ｐａ、９４ｄＢの場合は１Ｐａに調整する。
このような方式により、校正時の気圧に応じてカプラ２１内音圧の調整を行うことが可能になる。
なお、後述するＦＦＴ演算の発生音圧周波数成分を用いる場合、ゼロ調整を行わなくてもよい。
【００２３】
ゲージ圧センサ１２は、スピーカ１１の発生音圧の変化量をリアルタイムに計測することができる。音圧は大気圧に対してプラス／マイナスに振れるため、ゲージ圧センサ１２の信号を、交流信号として扱うことができる。なお、ゲージ圧センサ１２は、ゲージ圧センサ１２以外に、差圧センサを用いて大気圧に対する相対圧を計測してもよい。
【００２４】
校正時の動作について説明する。
カプラ２１内にマイクロホン３１を挿入した初期状態では、スピーカ１１が動作していないので、カプラ２１内は大気圧と同じ圧力Ｐ０で容積Ｖ０である。スピーカ１１へアンプ１３５を使用して正弦波を供給すると、振動板が動き、カプラ２１は開放状態ではないので容積がΔＶだけ変化し、圧力も容積の変化量ΔＶに応じて変化する。
すなわち、圧力の変化量ΔＰｖ（Ｐａ）は、Ｖ０；容積（ｍｍ３）、ΔＶ；スピーカ１１による容積の変化量（ｍｍ３）、Ｐ０；基準の大気圧（ｋＰａ）、ΔＰ０；大気圧の変化量（ｋＰａ）、γ；空気の比熱比とすると、
ΔＰｖ＝（ΔＶ／Ｖ０×（Ｐ０＋ΔＰ０）×１０００）γとなる。
ゲージ圧センサ１２は、このΔＰｖを計測する。
【００２５】
制御手段１３は、ゲージ圧センサ１２によって計測された音圧が一定の音圧になるようにスピーカ１１を制御する。具体的には、制御手段１３は、正弦波テーブル１３３に基づく基本波正弦波によってスピーカ１１を駆動してカプラ２１内に音圧を発生させ、発生させた音圧がゲージ圧センサ１２によって計測され、計測されたデータをアンプ１３１とデルタ・シグマＡ／Ｄコンバータ１３２とを介してデジタル値に変換し、音圧データを得る。次に、制御手段１３は、音圧データと規定値とに基づいて、一定の音圧となるように基本波正弦波に対する係数ｋを決定し、決定した係数ｋに基づいた基本波正弦波をデルタ・シグマＤ／Ａコンバータ１３４とアンプ１３５とを介して出力し、スピーカ１１を駆動する。
正弦波テーブルには、周波数に対応して正弦波を構成するデータが記憶されている。
スピーカ１１に出力される値Ｖは、Ｖ＝正弦波値×ｋ（すなわち、ｋ×ｓｉｎ（ωｔ））となり、ｋの範囲は１＞ｋ＞０で、ｋのデフォルトは適宜選択されてよい。
【００２６】
さらに、演算手段１４は、ゲージ圧センサ１２によって計測された音圧から発生音圧信号の周波数のレベルを抽出するための演算を行う。制御手段１３は、演算手段１４によって演算された値を用いて、スピーカ１１を制御する。
【００２７】
演算手段１４は、交流信号としての音圧データに対し、ＦＦＴ（Ｆａｓｔ  Ｆｏｕｒｉｅｒ  Ｔｒａｎｓｆｏｒｍ）又はＤＦＴ（Ｄｉｓｃｒｅｔｅ  Ｆｏｕｒｉｅｒ  Ｔｒａｎｓｆｏｒｍ）演算を行うことによりスピーカ１１から発生している発生音圧信号の周波数のみ抽出し圧力（レベル）を計算する。ＦＦＴ又はＤＦＴ演算によりセンサの自己ノイズ、オフセットの影響を少なくすることができ、発生している周波数の音圧精度を上げることが可能となる。
制御手段１３は、演算値（例えば、ＦＦＴ又はＤＦＴ演算の値）に基づいて、フィードバックを行い、例えば、調整値の１０Ｐａになるように、基本波正弦波の振幅を変化させてスピーカ１１の振動板の移動により、ΔＶを大きくしたり小さくしたりして制御を行う。
【００２８】
例えば、１１４ｄＢの音圧は１０Ｐａの圧力変化となるため、発生させた周波数の演算結果が１０Ｐａになるようにアンプレベルを可変してスピーカ１１を制御する。このことにより事前にスピーカ１１の特性を知らなくてもよい。また、固定の周波数だけではなく、スピーカ１１より１１４ｄＢの音圧を発生させることが可能で、かつ、ゲージ圧センサ１２の応答が演算条件（発生周波数の２倍以上の応答、例えば、１ｋＨｚの５次高調波まで求める場合には１０ｋＨｚを超える応答速度が必要）を満たせば任意の周波数で校正が行える。
【００２９】
温度センサ１５は、ゲージ圧センサ１２に沿って配置され、気体の温度を計測する。具体的には、温度センサ１５は、ゲージ圧センサ１２に沿って配置され、気体の温度を測定するように設置される。
温度補正手段１６は、温度センサ１５によって計測された温度に基づいて、ゲージ圧センサ１２によって計測された音圧を補正する。例えば、ゲージ圧センサ１２の温度特性が、０度から５０度までは一定だが、０度以下の場合、又は５０度以上の場合に変化するものとする。このようなゲージ圧センサ１２の温度特性に基づいて、温度補正手段１６は、温度センサ１５によって計測された温度に基づいて、計測された音圧を補正する。
【００３０】
このように、温度センサ１５はゲージ圧センサ１２の計測値を補正するために使用するもので、音響校正器１０の使用温度範囲（例えば、ＪＩＳ  Ｃ  １５１５では、−１０℃〜５０℃までが規定されている。）に対してゲージ圧センサ１２の温度範囲が十分に広く、補正が必要ない場合には省くことができる。すなわち、ゲージ圧センサ１２の温度補正係数はゲージ圧センサ１２の仕様で決まり、必要な場合にはその補正が用いられる。
【００３１】
図２は、本発明の一実施形態に係る音響校正器１０の処理内容を示すフローチャートである。音響校正器１０は、コンピュータ及びその周辺装置を備えるハードウェア並びに該ハードウェアを制御するソフトウェアによって構成され、以下の処理は、音響校正器１０の制御部（例えば、ＣＰＵ）が所定のソフトウェアに従い実行する処理である。
【００３２】
ステップＳ１０１において、ＣＰＵは、発生音圧（例えば、音圧が１１４．０ｄＢ）の周波数を設定する。より具体的には、ＣＰＵは、発生音圧の周波数を１ｋＨｚの初期値に設定する。さらに、ＣＰＵは、係数ｋの初期値（例えば、０．５）を設定する。その後、ＣＰＵは、処理をステップＳ１０２に移す。
【００３３】
ステップＳ１０２において、ＣＰＵは、周波数の設定を変更するか否かを判断する。より具体的には、ＣＰＵは、周波数の設定を変更するための指示がされている（例えば、周波数の変更を示すスイッチが押下されている）か否かを判断する。この判断がＹＥＳの場合、ＣＰＵは、処理をステップＳ１０３に移し、この判断がＮＯの場合、ＣＰＵは、処理をステップＳ１０６に移す。
【００３４】
ステップＳ１０３において、ＣＰＵは、周波数の設定をする。より具体的には、ＣＰＵは、周波数の設定を変更するための指示がされたときの周波数を入力し、記憶部に記憶する。その後、ＣＰＵは、処理をステップＳ１０４に移す。
【００３５】
ステップＳ１０４において、ＣＰＵは、間引き量を計算する。より具体的には、ＣＰＵは、周波数と基本波正弦波のデジタル値とが対応付けられた正弦波テーブル１３３に基づいて、入力された周波数に対応する基本波正弦波のデジタル値からアナログ値に変換する際の間引き量を計算する。その後、ＣＰＵは、処理をステップＳ１０５に移す。
【００３６】
ステップＳ１０５において、ＣＰＵは、サンプルクロックを設定する。より具体的には、ＣＰＵは、発生させる基本波正弦波の周波数に相当するサンプルクロックを設定する。その後、ＣＰＵは、処理をステップＳ１０６に移す。
【００３７】
ステップＳ１０６において、ＣＰＵは、基本波正弦波を読み出す。より具体的には、ＣＰＵは、正弦波テーブル１３３に基づいて、設定された周波数に対応する基本波正弦波のデジタル値を正弦波テーブル１３３から読み出す。その後、ＣＰＵは、処理をステップＳ１０７に移す。
【００３８】
ステップＳ１０７において、ＣＰＵは、基本波正弦波に係数ｋを乗算する。より具体的には、ＣＰＵは、読み出した基本波正弦波のデジタル値に係数ｋ（１＞ｋ＞０）を乗算する。その後、ＣＰＵは、処理をステップＳ１０８に移す。
【００３９】
ステップＳ１０８において、ＣＰＵは、デジタル値をスピーカ１１駆動用のアナログ値に変換し、スピーカ１１を駆動する。より具体的には、ＣＰＵは、デルタ・シグマＤ／Ａコンバータ１３４（例えば、ΔΣ１６ＢｉｔＤ／Ａコンバータ）を用いて、係数ｋを乗算したデジタル値をアナログ値に変換し、アンプ１３５を介してスピーカ１１に出力する。その後、ＣＰＵは、処理をステップＳ１０９に移す。
【００４０】
ステップＳ１０９において、ＣＰＵは、カプラ２１内の発生音圧を計測する。より具体的には、ＣＰＵは、ゲージ圧センサ１２を用いて、カプラ２１内の発生音圧として、大気圧とカプラ２１内の気圧との差を計測する。その後、ＣＰＵは、処理をステップＳ１１０に移す。
【００４１】
ステップＳ１１０において、ＣＰＵは、気体温度を計測する。より具体的には、ＣＰＵは、ゲージ圧センサ１２に沿って配置された温度センサ１５を用いて、気体の温度を計測する。その後、ＣＰＵは、処理をステップＳ１１１に移す。
【００４２】
ステップＳ１１１において、ＣＰＵは、計測した発生音圧及び気体温度をデジタル値に変換する。より具体的には、ＣＰＵは、アンプ１３１を介してデルタ・シグマＡ／Ｄコンバータ１３２（例えば、ΔΣ１６ＢｉｔＡ／Ｄコンバータ）を用いて、発生音圧及び気体温度のアナログ値をデジタル値に変換する。その後、ＣＰＵは、処理をステップＳ１１２に移す。
【００４３】
ステップＳ１１２において、ＣＰＵは、温度補正値と発生音圧とを算出する。より具体的には、ＣＰＵは、ゲージ圧センサ１２の温度特性に基づいて、測定した気体温度に対応するゲージ圧センサ１２の温度補正値を算出する。次に、ＣＰＵは、発生音圧ΔＰｖに対し、ＦＦＴ演算又はＤＦＴ演算を行い、音圧演算値を算出する。その後、ＣＰＵは、処理をステップＳ１１３に移す。
【００４４】
ステップＳ１１３において、ＣＰＵは、温度補正をするか否かを判断する。より具体的には、ＣＰＵは、算出した温度補正値が所定の値より大きいか否かを判断する。この判断がＹＥＳの場合、ＣＰＵは、処理をステップＳ１１４に移し、この判断がＮＯの場合、ＣＰＵは、処理をステップＳ１１５に移す。
【００４５】
ステップＳ１１４において、ＣＰＵは、温度補正をする。より具体的には、ＣＰＵは、算出した温度補正値によって発生音圧ΔＰｖの補正をする。その後、ＣＰＵは、処理をステップＳ１１５に移す。
【００４６】
ステップＳ１１５において、ＣＰＵは、音圧演算値が所定の最大値と最小値との範囲内か否かを判断する。より具体的には、ＣＰＵは、音圧演算値が所定の最大値（例えば、１０．３１）と所定の最小値（例えば、９．７４）との範囲内か否かを判断する。この判断がＹＥＳの場合、ＣＰＵは、処理をステップＳ１１６に移し、この判断がＮＯの場合、ＣＰＵは、処理をステップＳ１１７に移す。
【００４７】
ステップＳ１１６において、ＣＰＵは、基本波正弦波に対する係数ｋを維持し、処理をステップＳ１０２に移す。
【００４８】
ステップＳ１１７において、ＣＰＵは、音圧演算値が所定の最大値より大きいか否かを判断する。より具体的には、ＣＰＵは、音圧演算値が所定の最大値（例えば、１０．３１）より大きいか否かを判断する。この判断がＹＥＳの場合、ＣＰＵは、処理をステップＳ１１８に移し、この判断がＮＯの場合、ＣＰＵは、処理をステップＳ１１９に移す。
【００４９】
ステップＳ１１８において、ＣＰＵは、基本波正弦波に対する係数ｋを小さくする。より具体的には、ＣＰＵは、係数ｋから所定値（例えば、０．０１）を減算し、係数ｋを小さくする。その後、ＣＰＵは、処理をステップＳ１０２に移す。
【００５０】
ステップＳ１１９において、ＣＰＵは、基本波正弦波に対する係数ｋを大きくする。より具体的には、ＣＰＵは、係数ｋに所定値（例えば、０．０１）を加算し、係数ｋを大きくする。その後、ＣＰＵは、処理をステップＳ１２０に移す。
【００５１】
ステップＳ１２０において、ＣＰＵは、係数ｋが規定値を超えたか否かを判断する。この判断がＹＥＳの場合、ＣＰＵは、処理をステップＳ１２１に移し、この判断がＮＯの場合、ＣＰＵは、処理をステップＳ１０２に移す。
【００５２】
ステップＳ１２１において、ＣＰＵは、マイクロホン３１が差し込まれていないと判断して音響校正器１０の電源をＯＦＦにする。その後、ＣＰＵは、処理を終了する。
【００５３】
本実施形態によれば、音響校正器１０は、スピーカ１１によりカプラ２１内に音響を出力し、音響が出力されたカプラ２１内の気圧と、大気圧との差の音圧をゲージ圧センサ１２によって計測し、計測された音圧が一定の音圧になるようにスピーカ１１を制御する。さらに、音響校正器１０は、計測された音圧から発生音圧信号の周波数の音圧レベルを抽出するためのＦＦＴ又はＤＦＴ演算を行うと共に、温度センサによって計測された温度に基づいて、ゲージ圧センサ１２によって計測された音圧計測値を補正し、フィードバックを行ってスピーカ１１の出力を制御する。
したがって、音響校正器１０は、大気圧変化、スピーカ１１の周波数特性、温度特性に関係なく発生音圧を一定に保つことが可能となる。さらに、音響校正器１０は、発生音圧の周波数をＦＦＴ又はＤＦＴ演算することによりセンサのオフセットや、ノイズの影響を受けずに精度を上げることが可能になる。
また、ステップＳ１２１のように、音響校正器１０は、カプラ２１にマイクロホン３１が挿入されているか否かを判断して、音響校正器１０自身の電源を切ることができ、校正が終了し校正器からマイクロホン３１を抜いた時に電源を切らなくても自動的に電源をＯＦＦする制御も可能である。
【００５４】
以上、本発明の実施形態について説明したが、本発明は上述した実施形態に限るものではない。また、本発明の実施形態に記載された効果は、本発明から生じる最も好適な効果を列挙したに過ぎず、本発明による効果は、本発明の実施形態に記載されたものに限定されるものではない。
【符号の説明】
【００５５】
１０  音響校正器
１１  スピーカ
１２  ゲージ圧センサ
１３  制御手段
１４  演算手段
１５  温度センサ
１６  温度補正手段
２１  カプラ
３１  マイクロホン
【図１】
2014175927.tif 000003
【図２】
2014175927.tif 000004
【図３】
2014175927.tif 000005